【手続補正書】
【提出日】平成18年9月21日(2006.9.21)
【手続補正１】
【補正対象書類名】特許請求の範囲
【補正対象項目名】全文
【補正方法】変更
【補正の内容】
【特許請求の範囲】
【請求項１】
印刷媒体が印刷装置の紙送りローラ及びその従動ローラ並びに排紙ローラ及びその従動ローラに挟持されている状態の下で、前記印刷装置の動作状態を反映する印刷動作状態判定用印刷パターンが印刷された前記印刷媒体と、
前記印刷媒体に対し照射光を出射する発光部、及び、前記印刷媒体表面において反射された反射光を受光して検出し、前記反射光の強度に応じた値の受光出力信号を変換生成する受光部を有する光学式センサと、
前記受光出力信号の値に基づいて印刷装置の動作状態を判定する判定部と、
を備えていることを特徴とする印刷動作状態判定システム。
【請求項２】
印刷装置の動作状態を反映する印刷動作状態判定用印刷パターンが印刷された印刷媒体と、
印刷媒体が前記印刷装置の紙送りローラ及びその従動ローラ並びに排紙ローラ及びその従動ローラに挟持されている状態の下で、前記印刷媒体に対し照射光を出射する発光部、及び、前記印刷媒体表面において反射された反射光を受光して検出し、前記反射光の強度に応じた値の受光出力信号を変換生成する受光部を有する光学式センサと、
前記受光出力信号の値に基づいて印刷装置の動作状態を判定する判定部と、
を備えていることを特徴とする印刷動作状態判定システム。
【請求項３】
前記動作状態の判定は、インクを吐出する複数のインク吐出部のそれぞれからのインク吐出状態の判定、前記印刷媒体搬送方向に直交する前記印刷装置の主走査方向における双方向（Ｂｉ−Ｄ）印刷を行う場合の往路インク滴下位置と復路インク滴下位置との相対位置調整状態の判定、前記印刷媒体搬送方向に直交する前記印刷装置の主走査方向における単方向（Ｕｎｉ−Ｄ）印刷を行う場合の各走査におけるインク滴下位置の調整状態の判定、又は、前記印刷媒体搬送方向としての前記印刷装置の副走査方向における紙送り量の調整状態の判定のいずれかを含むことを特徴とする請求項１又は２に記載の印刷動作状態判定システム。
【請求項４】
前記動作状態の判定は、前記受光出力信号の値と所定の閾値との比較により行われることを特徴とする請求項１乃至３のいずれかに記載の印刷動作状態判定システム。
【請求項５】
印刷媒体と、
前記印刷媒体が印刷装置の紙送りローラ及びその従動ローラ並びに排紙ローラ及びその従動ローラに挟持されている状態の下で、前記印刷媒体に対し照射光を出射する発光部、及び、前記印刷媒体表面において反射された反射光を受光して検出し、前記反射光の強度に応じた値の受光出力信号を変換生成する受光部を有する光学式センサと、
前記受光出力信号の値に基づいて前記光学式センサの前記発光部の発光量及び前記受光部の検出感度の調整状態を判定する判定部と、
を備えていることを特徴とする光学式センサ調整システム。
【請求項６】
印刷媒体が印刷装置の紙送りローラ及びその従動ローラ並びに排紙ローラ及びその従動ローラに挟持されている状態の下で、前記印刷装置の動作状態を反映する印刷動作状態判定用印刷パターンを前記印刷媒体に印刷する印刷過程と、
前記印刷媒体に対し照射光を出射する発光部、及び、前記印刷媒体表面において反射された反射光を受光して検出し、前記反射光の強度に応じた値の受光出力信号を変換生成する受光部を有する光学式センサにより、前記印刷動作状態判定用印刷パターンが印刷された前記印刷媒体表面を走査する走査過程と、
前記受光出力信号の値に基づいて印刷装置の動作状態を判定する判定過程と、
を備えていることを特徴とする印刷動作状態判定方法。
【請求項７】
印刷装置の動作状態を反映する印刷動作状態判定用印刷パターンが印刷された印刷媒体が前記印刷装置の紙送りローラ及びその従動ローラ並びに排紙ローラ及びその従動ローラに挟持されている状態の下で、前記印刷媒体に対し照射光を出射する発光部、及び、前記印刷媒体表面において反射された反射光を受光して検出し、前記反射光の強度に応じた値の受光出力信号を変換生成する受光部を有する光学式センサにより、前記印刷媒体表面を走査する走査過程と、
前記受光出力信号の値に基づいて印刷装置の動作状態を判定する判定過程と、
を備えていることを特徴とする印刷動作状態判定方法。
【手続補正２】
【補正対象書類名】明細書
【補正対象項目名】００１８
【補正方法】変更
【補正の内容】
【００１８】
本発明の第１の構成に係る印刷動作状態判定システムによれば、
印刷媒体が印刷装置の紙送りローラ及びその従動ローラ並びに排紙ローラ及びその従動ローラに挟持されている状態の下で、上記印刷装置の動作状態を反映する印刷動作状態判定用印刷パターンが印刷された上記印刷媒体と、
上記印刷媒体に対し照射光を出射する発光部、及び、上記印刷媒体表面において反射された反射光を受光して検出し、上記反射光の強度に応じた値の受光出力信号を変換生成する受光部を有する光学式センサと、
上記受光出力信号の値に基づいて印刷装置の動作状態を判定する判定部と、
を備えていることを特徴とする。
【手続補正３】
【補正対象書類名】明細書
【補正対象項目名】００１９
【補正方法】変更
【補正の内容】
【００１９】
本発明の第２の構成に係る印刷動作状態判定システムによれば、
印刷装置の動作状態を反映する印刷動作状態判定用印刷パターンが印刷された印刷媒体と、
上記印刷媒体が上記印刷装置の紙送りローラ及びその従動ローラ並びに排紙ローラ及びその従動ローラに挟持されている状態の下で、上記印刷媒体に対し照射光を出射する発光部、及び、上記印刷媒体表面において反射された反射光を受光して検出し、上記反射光の強度に応じた値の受光出力信号を変換生成する受光部を有する光学式センサと、
上記受光出力信号の値に基づいて印刷装置の動作状態を判定する判定部と、
を備えていることを特徴とする。
【手続補正４】
【補正対象書類名】明細書
【補正対象項目名】００２０
【補正方法】変更
【補正の内容】
【００２０】
本発明の第１及び第２の構成に係る印刷動作状態判定システムにおいて、上記動作状態の判定は、インクを吐出する複数のインク吐出部のそれぞれからのインク吐出状態の判定、上記印刷媒体搬送方向に直交する上記印刷装置の主走査方向における双方向（Ｂｉ−Ｄ）印刷を行う場合の往路インク滴下位置と復路インク滴下位置との相対位置調整状態の判定、上記印刷媒体搬送方向に直交する上記印刷装置の主走査方向における単方向（Ｕｎｉ−Ｄ）印刷を行う場合の各走査におけるインク滴下位置の調整状態の判定、又は、上記印刷媒体搬送方向としての上記印刷装置の副走査方向における紙送り量の調整状態の判定のいずれかを含むものとするとよい。
【手続補正５】
【補正対象書類名】明細書
【補正対象項目名】００２２
【補正方法】変更
【補正の内容】
【００２２】
本発明に係る光学式センサ調整システムによれば、
印刷媒体と、
上記印刷媒体が印刷装置の紙送りローラ及びその従動ローラ並びに排紙ローラ及びその従動ローラに挟持されている状態の下で、上記印刷媒体に対し照射光を出射する発光部、及び、上記印刷媒体表面において反射された反射光を受光して検出し、上記反射光の強度に応じた値の受光出力信号を変換生成する受光部を有する光学式センサと、
上記受光出力信号の値に基づいて上記光学式センサの上記発光部の発光量及び上記受光部の検出感度の調整状態を判定する判定部と、
を備えていることを特徴とする。
【手続補正６】
【補正対象書類名】明細書
【補正対象項目名】００２５
【補正方法】変更
【補正の内容】
【００２５】
本発明の第１の構成に係る印刷動作状態判定方法によれば、
印刷媒体が印刷装置の紙送りローラ及びその従動ローラ並びに排紙ローラ及びその従動ローラに挟持されている状態の下で、上記印刷装置の動作状態を反映する印刷動作状態判定用印刷パターンを上記印刷媒体に印刷する印刷過程と、
上記印刷媒体に対し照射光を出射する発光部、及び、上記印刷媒体表面において反射された反射光を受光して検出し、上記反射光の強度に応じた値の受光出力信号を変換生成する受光部を有する光学式センサにより、上記印刷動作状態判定用印刷パターンが印刷された上記印刷媒体表面を走査する走査過程と、
上記受光出力信号の値に基づいて印刷装置の動作状態を判定する判定過程と、
を備えていることを特徴とする。
【手続補正７】
【補正対象書類名】明細書
【補正対象項目名】００２６
【補正方法】変更
【補正の内容】
【００２６】
本発明の第２の構成に係る印刷動作状態判定方法によれば、
印刷装置の動作状態を反映する印刷動作状態判定用印刷パターンが印刷された印刷媒体が上記印刷装置の紙送りローラ及びその従動ローラ並びに排紙ローラ及びその従動ローラに挟持されている状態の下で、上記印刷媒体に対し照射光を出射する発光部、及び、上記印刷媒体表面において反射された反射光を受光して検出し、上記反射光の強度に応じた値の受光出力信号を変換生成する受光部を有する光学式センサにより、上記印刷媒体表面を走査する走査過程と、
上記受光出力信号の値に基づいて印刷装置の動作状態を判定する判定過程と、
を備えていることを特徴とする。
【手続補正８】
【補正対象書類名】明細書
【補正対象項目名】００２７
【補正方法】変更
【補正の内容】
【００２７】
本発明の第１及び第２の構成に係る印刷動作状態判定方法において、上記動作状態の判定は、インクを吐出する複数のインク吐出部のそれぞれからのインク吐出状態の判定、上記印刷媒体搬送方向に直交する上記印刷装置の主走査方向における双方向（Ｂｉ−Ｄ）印刷を行う場合の往路インク滴下位置と復路インク滴下位置との相対位置調整状態の判定、上記印刷媒体搬送方向に直交する上記印刷装置の主走査方向における単方向（Ｕｎｉ−Ｄ）印刷を行う場合の各走査におけるインク滴下位置の調整状態の判定、又は、上記印刷媒体搬送方向としての上記印刷装置の副走査方向における紙送り量の調整状態の判定のいずれかを含むものとするとよい。
【手続補正９】
【補正対象書類名】明細書
【補正対象項目名】００２９
【補正方法】変更
【補正の内容】
【００２９】
本発明に係る光学式センサ調整方法によれば、
印刷媒体が印刷装置の紙送りローラ及びその従動ローラ並びに排紙ローラ及びその従動ローラに挟持されている状態の下で、上記印刷媒体に対し照射光を出射する発光部、及び、上記印刷媒体表面において反射された反射光を受光して検出し、上記反射光の強度に応じた値の受光出力信号を変換生成する受光部を有する光学式センサにより、上記印刷媒体表面を走査する走査過程と、
上記受光出力信号の値に基づいて上記光学式センサの上記発光部の発光量及び上記受光部の検出感度の調整状態を判定する判定過程と、
を備えていることを特徴とする。